(57)【要約】【課題】複数の什器を、什器幅方向に連結可能な、什器の連結構造および組み合わせ什器において、連結作業性を向上させるとともに、連結部位の破損を抑止する。【解決手段】アリ溝形成部１５を有する雌側連結機構７Ａと、アリ溝形成部１５内に嵌合する嵌合突部２１を有する雄側連結機構７Ｂと、を備え、アリ溝形成部１５および嵌合突部２１には、アリ溝形成部１５内に嵌合突部２１が嵌合した状態で、アリ溝形成部１５の溝延在方向で両端側ほどアリ溝形成部１５の内側面１６および嵌合突部２１の外側面２２を互いに離間させるテーパ部１７，２３がそれぞれ形成されている。【選択図】図１３
2017169637.tif 000002
【特許請求の範囲】
【請求項１】
複数の什器を、什器幅方向に連結可能な、什器の連結構造において、
各什器の什器幅方向の一側に設けられ、什器幅方向に交差して延在するとともに什器幅方向の外側に向けて開放するアリ溝形成部を有する第一連結部材と、
各什器の什器幅方向の他側に設けられ、什器幅方向の外側に突出して前記アリ溝形成部内に嵌合し、前記アリ溝形成部の溝幅方向の両側に係合する嵌合突部を有する第二連結部材と、を備え、
前記アリ溝形成部および前記嵌合突部の少なくとも一方には、前記アリ溝形成部内に前記嵌合突部が嵌合した状態で、前記アリ溝形成部の溝延在方向で末端側ほど前記アリ溝形成部の内面および前記嵌合突部の外面を互いに離間させる離間形状部が形成されている、什器の連結構造。
【請求項２】
前記アリ溝形成部は、溝延在方向を上下方向に対して傾斜させている、請求項１に記載の什器の連結構造。
【請求項３】
前記アリ溝形成部および前記嵌合突部の少なくとも一方は、前記離間形状部よりも溝延在方向の内側で前記アリ溝形成部の内面および前記嵌合突部の外面を互いに当接または近接状態で係合させる嵌合部を有している、請求項１又は２に記載の什器の連結構造。
【請求項４】
前記嵌合部は、前記アリ溝形成部に形成される溝側狭幅部と、前記嵌合突部に形成される突側拡幅部と、を有している、請求項３に記載の什器の連結構造。
【請求項５】
前記離間形状部は、前記アリ溝形成部に形成される溝側離間形状部と、前記嵌合突部に形成される突側離間形状部と、を有している、請求項１から４の何れか一項に記載の什器の連結構造。
【請求項６】
前記アリ溝形成部の什器幅方向外側の開放部における最小溝幅は、前記嵌合突部の溝延在方向の端部における溝幅方向の端部幅よりも大きくされている、請求項５に記載の什器の連結構造。
【請求項７】
前記嵌合突部は、溝延在方向と交差する断面において、什器幅方向の内側ほど溝幅方向の幅を漸次小とする形状をなしている、請求項１から６の何れか一項に記載の什器の連結構造。
【請求項８】
請求項１から７の何れか一項に記載の什器の連結構造により、複数の什器を連結してなる、組み合わせ什器。
【発明の詳細な説明】
【技術分野】
【０００１】
本発明は、什器の連結構造および組み合わせ什器に関する。
【背景技術】
【０００２】
従来、什器を隣接して複数並設する際に当該什器同士を連結する構造として、例えば下記特許文献１〜３に開示されるものがある。
これらの文献に開示される椅子同士の連結構造では、椅子を幅方向（左右方向）に複数連結状態で並設することによって、使用中の位置ずれを防止している。
まず、特許文献１に開示される構成では、隣接する椅子の対向する側部に形成された、互いに補形をなす凹凸形状の係合部同士を係合させている。凹形状の係合部は上下方向に開放されており、この構成で椅子同士を連結する際には、既に設置された椅子の隣で、他の椅子を持ち上げつつ係合部の凹凸形状を確認しながら、該椅子を直下方向へ移動させる動作が必要となるため、作業性にやや難がある。
そこで、特許文献２に開示される構成では、外側方に向けて傾斜した上向きまたは下向きの係合片を有する係合部同士を係合させるので、一方の椅子に対して他方の椅子を斜め上方から係合させることができ、作業性の向上が図られている。
また、特許文献３に開示される構成では、椅子の一側部に上方に突出する凸部が形成され、椅子の他側部には下方に開放する凹部が形成されて、これらの凹凸部を互いに係合させるので、上向きの凸部は比較的視認し易くなっており、作業性の向上が図られている。
【先行技術文献】
【特許文献】
【０００３】
【特許文献１】実公昭６２−０３９７３９号公報
【特許文献２】実開昭６３−１７５４４９号公報
【特許文献３】特開平０７−１３６０３３号公報
【発明の概要】
【発明が解決しようとする課題】
【０００４】
ところで、什器の並設作業では、通常は什器の前方から什器に向かい合って行われる。したがって、たとえ特許文献２に開示される構成であっても、凹凸形状の係合部が直上に開放されていること自体に変わりはなく、什器の前方から大きく身を乗り出して凹凸係合部を視認しなければならない。
また、特許文献３に開示される構成では、下向きの凹部が上向きの凸部を上方から覆うという構造上、連結した椅子に対して外側方への大きな力が入力されると、特に凸部に上端部を側方へ曲げる方向の大きなモーメントが作用するので、破損が懸念される。
【０００５】
本願発明は、上記の技術的課題に鑑みてなされたもので、複数の什器を、什器幅方向に連結可能な、什器の連結構造および組み合わせ什器において、連結作業性を向上させるとともに、連結部位の破損を抑止することを提供することを目的とする。
【課題を解決するための手段】
【０００６】
上記課題の解決手段として、本発明は、複数の什器を、什器幅方向に連結可能な、什器の連結構造において、各什器の什器幅方向の一側に設けられ、什器幅方向に交差して延在するとともに什器幅方向の外側に向けて開放するアリ溝形成部を有する第一連結部材と、各什器の什器幅方向の他側に設けられ、什器幅方向の外側に突出して前記アリ溝形成部内に嵌合し、前記アリ溝形成部の溝幅方向の両側に係合する嵌合突部を有する第二連結部材と、を備え、前記アリ溝形成部および前記嵌合突部の少なくとも一方には、前記アリ溝形成部内に前記嵌合突部が嵌合した状態で、前記アリ溝形成部の溝延在方向で末端側ほど前記アリ溝形成部の内面および前記嵌合突部の外面を互いに離間させる離間形状部が形成されている、什器の連結構造を提供する。
【０００７】
この構成によれば、前記離間形状部によって、アリ溝形成部の溝延在方向の末端側から嵌合突部を容易に嵌合させることができ、かつ嵌合後には什器幅方向の荷重に耐え得る連結状態とすることができる。また、嵌合突部は、什器幅方向の外側に突出してアリ溝形成部の溝幅方向の両側に係合するので、鉤形状等をなす場合と比べて什器幅方向の荷重によるモーメントの発生が抑えられ、連結部位の破損を抑止することができる。
【０００８】
本発明において、前記アリ溝形成部は、溝延在方向を上下方向に対して傾斜させている構成としてもよい。
この場合、アリ溝形成部の溝延在方向の端部を什器の前側または後側から視認し易くなり、連結作業性を向上させることができる。特に、アリ溝形成部の溝延在方向の一端側を前上方に向ければ、作業者が什器に前方から向かい合って什器を連結するといった通常の連結作業を容易にすることができる。
【０００９】
本発明において、前記アリ溝形成部および前記嵌合突部の少なくとも一方は、前記離間形状部よりも溝延在方向の内側で前記アリ溝形成部の内面および前記嵌合突部の外面を互いに当接または近接状態で係合させる嵌合部を有している構成としてもよい。
この場合、アリ溝形成部の一端側から嵌合突部を進入させ、これらを溝延在方向に相対移動させることで、嵌合部によりアリ溝形成部および嵌合突部をガタなく強固に連結することができる。
【００１０】
本発明において、前記嵌合部は、前記アリ溝形成部に形成される溝側狭幅部と、前記嵌合突部に形成される突側拡幅部と、を有している構成としてもよい。
この場合、アリ溝形成部および嵌合突部の協働により、強固に嵌合する嵌合部を形成することができる。
【００１１】
本発明において、前記離間形状部は、前記アリ溝形成部に形成される溝側離間形状部と、前記嵌合突部に形成される突側離間形状部と、を有している構成としてもよい。
この場合、アリ溝形成部の溝延在方向の末端側から嵌合突部をより一層容易に嵌合させることができる。
【００１２】
本発明において、前記アリ溝形成部の什器幅方向外側の開放部における最小溝幅は、前記嵌合突部の溝延在方向の端部における溝幅方向の端部幅よりも大きくされている構成としてもよい。
この場合、アリ溝形成部および嵌合突部を溝延出方向で相互にずらした状態で什器を什器幅方向に並べる際、アリ溝形成部および嵌合突部を溝延出方向で極力ラップさせて突き当てるとともに、この状態からアリ溝形成部および嵌合突部を溝延在方向で相対移動させることで、什器の連結作業を容易に行うことができる。
【００１３】
本発明において、前記嵌合突部は、溝延在方向と交差する断面において、什器幅方向の内側ほど溝幅方向の幅を漸次小とする形状をなしている構成としてもよい。
この場合、嵌合突部の溝延在方向と交差する断面形状が、例えばＴ字形等の急峻に変化する形状である構成に比して、嵌合突部の突出先端部や基端部に折れ曲がり方向のモーメントが作用した場合における応力集中を抑え、連結強度を高めることができる。
【００１４】
また、本発明は、上記何れか一つに記載の什器の連結構造により、複数の什器を連結してなる、組み合わせ什器を提供する。
この構成によれば、前記離間形状部によって、アリ溝形成部の溝延在方向の末端側から嵌合突部を容易に嵌合させることができ、かつ嵌合後には嵌合突部がアリ溝形成部の溝幅方向の両側に係合するので、鉤形状等をなす場合と比べて什器幅方向の荷重によるモーメントの発生が抑えられ、什器幅方向の荷重に耐え得る連結状態で複数の什器を什器幅方向に連結した組み合わせ什器を簡単に構成することができる。
【発明の効果】
【００１５】
本発明によれば、複数の什器を、什器幅方向に連結可能な、什器の連結構造および組み合わせ什器において、連結作業性を向上させるとともに、連結部位の破損を抑止することができる。
【図面の簡単な説明】
【００１６】
【図１】本発明の実施形態における椅子の前面側の斜視図である。
【図２】上記椅子の後面側の斜視図である。
【図３】上記椅子の平面図である。
【図４】上記椅子の正面図である。
【図５】上記椅子の側面図である。
【図６】上記椅子を複数連結した状態の平面図である。
【図７】上記椅子を複数連結した状態の正面図である。
【図８】上記椅子のスタッキング状態の側面図である。
【図９】図８のＩＸ拡大図である。
【図１０】図８のＸ拡大図である。
【図１１】上記椅子の右側の横連結機構周辺の側面図である。
【図１２】上記椅子の左側の横連結機構周辺の側面図である。
【図１３】上記横連結機構の連結状態の斜視図である。
【図１４】上記横連結機構の連結状態の側面図である。
【図１５】図１３のＸＶ−ＸＶ断面図である。
【図１６】図１４のＸＶＩ−ＸＶＩ断面図である。
【図１７】図１４のＸＶＩＩ−ＸＶＩＩ断面図である。
【図１８】上記横連結機構の連結途中の状態を軸方向視で示す説明図である。
【発明を実施するための形態】
【００１７】
以下、本発明の一実施形態について図面を参照して説明する。なお、以下の説明において、前後上下左右等の向きは、床面（什器設置面）Ｆ上に設置した状態の椅子１に、正規姿勢で着座した着座者の正面側を「前」、その逆側を「後」とし、上下左右も着座者から見た向きと同一とする。また、図中において、矢印ＵＰは上方を示し、矢印ＦＲは前方を示し、矢印ＬＨは左方を示している。
【００１８】
図１〜図５および図８に示すように、本実施形態の椅子１は、脚体２と、座３と、回動機構４と、背凭れ５と、肘掛６と、横連結機構７とを備えている。
本実施形態の椅子１は、座３を上方に跳ね上げた状態（図５に鎖線で示す）で、床面Ｆ上に設置した設置状態での前後方向に沿うように、前後に複数入れ子状に重ねたスタッキング状態とすることが可能である。
【００１９】
また、椅子１は、座３を上方に跳ね上げるとともに、前記設置状態での前後方向を上下に起立させた上向き姿勢として、専用の台車１００上で上下に複数入れ子状に重ねたスタッキング状態とすることが可能な、可搬式の椅子として構成されている。
他、椅子１は、所定の収容場所に固定的に設置された収容具または収容場所に対しても、前後または上下のスタッキング状態で収容可能である。前記台車１００、収容具および収容場所等を含む収容部と複数の椅子１とで、本実施形態における什器システム１Ｓが構成されている。
【００２０】
脚体２は、前脚２ａと、後脚２ｂと、連結杆（脚部）２ｃと、を備え、左右一対に設けられている。
前脚２ａは、上端２ａ１が下端２ａ２に対して後方に位置するように後傾された例えば丸鋼管で形成され、後脚２ｂの略二倍程度の長さを有して直線状に延びている。
後脚２ｂは、上端２ｂ１が下端２ｂ２に対して前方に位置するように前傾され、例えば前脚２ａよりも小径の丸鋼管で形成されている。後脚２ｂの上端２ｂ１は、前脚２ａの長手方向の略中央部に後方から溶接結合されている。
【００２１】
後脚２ｂは、下端２ｂ２が上端２ｂ１よりも幅方向内側に配置されており、前後方向視で下側ほど幅方向内側に位置するように傾斜している。一方、前脚２ａは、前後方向視で左右相互に平行をなして上下に延びている。すなわち、後脚２ｂの下端２ｂ２側（下半部）は、前脚２ａよりも幅方向内側に傾斜して配置されている。これにより、床面Ｆ上で前後に並ぶ椅子１において、前側の椅子１の一対の後脚２ｂを、後側の椅子１の一対の前脚２ａの間に前方から進入させることが可能となり、複数の椅子１を入れ子状に重ね合わせることが可能となる。このとき、椅子１の接地面２ｃ４を形成する連結杆２ｃにおける接地面２ｃ４と反対側の外面（上面）２ｃ５には、後方に位置する椅子１の連結杆２ｃの接地面２ｃ４が上方から重なることとなる。
【００２２】
連結杆２ｃは、例えば床面Ｆと平行な鋼板で形成され、前後方向に直線状に延設された前脚接続部２ｃ１と、前脚接続部２ｃ１から後脚２ｂの下端２ｂ２に至る後脚接続部２ｃ２と、を一体に有している。
前脚接続部２ｃ１は、複数の椅子１を入れ子状に重ね合わせたとき、前端部２ｃ３を、前方に位置する他の椅子１の連結杆２ｃ上に固定された装着部材１０のストッパ突部１２（図８参照）に、後方から当接可能とされている。
【００２３】
前脚接続部２ｃ１は、平面視において、肘掛６と同様に、椅子１の左右方向の最外側に配置されている。前脚接続部２ｃ１は、複数の椅子１が左右方向に隣接して配列されたときに、隣り合う椅子１の前脚接続部２ｃ１と隙間なく当接可能である（図６、図７参照）。
後脚接続部２ｃ２は、前脚接続部２ｃ１の後端から後脚２ｂの下端２ｂ２まで、後側ほど幅方向内側に位置するように傾斜した直線状に延設されている。後脚接続部２ｃ２は、前脚接続部２ｃ１よりも延設長さが短く設定されている。座３の下方で左右脚体２の前脚２ａ側の間には、前方に位置する他の椅子１の左右脚体２の後脚２ｂ側を前方から収容可能な脚収容部８が構成されている。
【００２４】
前脚接続部２ｃ１の前部上面には、前脚２ａの下端２ａ２が溶接結合され、後脚接続部２ｃ２の後部上面には、後脚２ｂの下端２ｂ２が溶接結合されている。前脚接続部２ｃ１の上面において、後脚２ｂ下端の後方かつ前脚２ａ下端の前方には、後述する装着部材１０が固定されている。
【００２５】
脚体２は、連結杆２ｃの下面（接地面２ｃ４）を、床面Ｆに対して例えば不織布等のパッド部材ＰＴを介して当接（接地）させている。このとき、座３、回動機構４、背凭れ５、肘掛６及び横連結機構７が、左右の脚体２に直接的または間接的に支持される。また、脚体２は、着座者がいるときには着座者の体重を支える。なお、パッド部材ＰＴは無くてもよい。
【００２６】
座３は、回動機構４を介して脚体２に対して回動可能に支持されている。座３の上面は着座面３ａとされ、座３の後端部近傍は脚体２に左右方向に沿う回動軸３ｂを介して軸支されている。座３は、着座面３ａを上方に向けた着座姿勢（図５に実線で示す姿勢）と、着座面３ａを背凭れ５側に向けた収納姿勢（図５に鎖線で示す姿勢）と、の間で回動可能とされている。
【００２７】
背凭れ５は、脚体２の前脚２ａの上端２ａ１側に固定されており、座３よりも上方にて脚体２に支持されている。背凭れ５は、着座者がいるときには着座者の背中を後方から支える。
【００２８】
肘掛６は、肘掛本体６ａと、支持部６ｂと、を備え、左右一対に設けられている。
肘掛本体６ａは、脚体２の前脚２ａの上端２ａ１から前方に向けて延設されており、肘掛本体６ａの上面は、着座者の前腕を載せる肘置き面とされている。
支持部６ｂは、肘掛本体６ａの後部下方で肘掛本体６ａの下面に沿うように設けられており、後端部が脚体２の前脚２ａに固定されている。支持部６ｂも肘掛本体６ａと同様、前脚２ａから前方に向けて延設されている。
【００２９】
肘掛６は、全体として前脚２ａから前方に延設されており、かつ回動機構４よりも上方に配置されている。支持部６ｂの前端面は、複数の椅子１が入れ子状に重ね合わされたときに前方の椅子１の肘掛本体６ａの後端面（第二当接面６ａ１）に当接する第一当接面６ｂ１とされている。これにより、図８に示すように、複数の椅子１を入れ子状に重ね合わせたときに、肘掛６によって前後の椅子１間の距離が規定される。また、椅子１の連結杆２ｃの前端部２ｃ３が、前方に位置する椅子１の連結杆２ｃ上の装着部材１０のストッパ突部１２に後方から当接することによっても、前後の椅子１間の距離が規定される。したがって、複数の椅子１を前後に等間隔に重ね合わせることができる。
【００３０】
横連結機構７は、椅子１の左右両側に設けられた回動機構４の外側面に各々取り付けられている。横連結機構７は、複数の椅子１同士が横方向に配列されたときに、隣り合う椅子１同士を接続するための機構である。
図１１、図１２を参照し、本実施形態の横連結機構７は、椅子１の左側に取り付けられる雌側連結機構７Ａと、椅子１の右側に取り付けられる雄側連結機構７Ｂとに分かれている。各連結機構７Ａ，７Ｂの詳細は後述する。
【００３１】
図６、図７を参照し、本実施形態の椅子１は、例えば劇場、ホールの空きスペースおよび体育館等において、左右方向（什器幅方向）に複数配列することで、着席スペースを臨時的に増設することができる。このとき、左右に隣り合う椅子１同士は、横連結機構７同士を接続するとともに、不図示の連結具によって連結杆２ｃ同士を連結し、かつ床面Ｆに固定することで、床面Ｆ上の設置箇所に椅子１を固定的に設置可能とされている。このとき、前記複数の椅子１によって本実施形態における組み合わせ什器１Ａが構成されている。連結杆２ｃには、自身とともに前記連結具を床面Ｆに固定可能とするボルトを挿通可能なボルト挿通孔２ｃ６が形成されている。
【００３２】
図８は、本実施形態の椅子１を上下方向で入れ子状に複数重ねたスタッキング状態とし、専用の台車１００上に載置した状態を示している。
図８、図９に示すように、複数の椅子１を上下のスタッキング状態とした場合には、スタッキング状態で下方に位置する椅子１の肘掛６の第一当接面６ｂ１に、スタッキング状態で上方に位置する椅子１の肘掛６の第二当接面６ａ１が上方から当接する。また、スタッキング状態で下方に位置する椅子１の脚体２の連結杆２ｃの前端部２ｃ３に、スタッキング状態で上方に位置する椅子１の脚体２の連結杆２ｃ上に固定された装着部材１０のストッパ突部１２が上方から当接する。図中矢印Ｆ−Ｒは椅子１における床面Ｆ上に設置した状態での前後方向を示す。
【００３３】
これにより、複数の椅子１を上下に重ねたスタッキング状態としたときに、上下に重なる椅子１間の距離が規定される。互いに当接する肘掛６および連結杆２ｃは、それぞれ着座者の身体を支持する強度の高い部材であり、複数の椅子１を積み重ねる際の荷重をしっかり受け止めることが可能である。
【００３４】
なお、複数の椅子１を床面Ｆ上に設置した際の姿勢のまま、床面Ｆ上で前後に複数入れ子状に重ねたスタッキング状態とした場合においても、後方に位置する椅子１の第一当接面６ｂ１に、前方に位置する椅子１の第二当接面６ａ１が前方から当接し、かつ、後方に位置する椅子１の連結杆２ｃの前端部２ｃ３に、前方に位置する椅子１の連結杆２ｃ上のストッパ突部１２が前方から当接することで、前後に入れ子状に重なる椅子１の相対的な位置決めがなされる。
【００３５】
図８、図１０に示すように、上記スタッキング状態では、椅子１の接地面２ｃ４を形成する連結杆２ｃにおける接地面２ｃ４と反対側の外面２ｃ５に、スタッキング状態で下方に位置する椅子１の連結杆２ｃの接地面２ｃ４が重なる。連結杆２ｃの外面２ｃ５には、前記装着部材１０がボルトおよびナット等の適宜の固定手段によって固定されている。
【００３６】
図１２〜図１５に示すように、雌側連結機構７Ａは、什器幅方向に交差して延在するとともに什器幅方向の外側に向けて開放するアリ溝形成部１５を有している。アリ溝形成部１５は、開放部よりも底部の幅が広がるように内側面１６を傾斜させた断面形状を有し、上下方向に対して上側ほど前側に位置するように傾斜した溝延在方向に沿って延びている。
【００３７】
図中符号１６ａはアリ溝形成部１５における什器幅方向と直交する底面、符号２２ａは嵌合突部２１における什器幅方向と直交する先端面、符号４ａは雌側連結機構７Ａ（および雄側連結機構７Ｂ）を支持する回動機構４におけるブラケット、符号Ｂ１は底面１６ａからブラケット４ａに至って雌側連結機構７Ａを締結するボルト、符号Ｂ２は先端面２２ａからブラケット４ａに至って雄側連結機構７Ｂを締結するボルト、符号Ｂ３は雌側連結機構７Ａおよび雄側連結機構７Ｂにおけるブラケット４ａに対する回り止めネジをそれぞれ示す。
【００３８】
アリ溝形成部１５の溝延在方向の両側部には、溝延在方向の両端側ほど両内面を互いに離間させるように末広がりに傾斜した溝側テーパ部１７が形成されている。
アリ溝形成部１５における溝延在方向で溝側テーパ部１７よりも内側の部位には、アリ溝形成部１５の両内側面１６を最も近接させて断面一定で延びる溝側嵌合部１８が形成されている。図１７を併せて参照し、溝側嵌合部１８は、什器幅方向外側の開放部においてアリ溝形成部１５の最小溝幅ｈ１を形成する溝側狭幅部１９として構成されている。
【００３９】
なお、図示都合上、図のアリ溝形成部１５の内側面１６および嵌合突部２１の外側面２２の間には微小隙が設けられているが、このように、アリ溝形成部１５の内側面１６および嵌合突部２１の外側面２２を近接状態で係合させる構成としてもよい。
【００４０】
図１１、図１３〜図１５に示すように、雄側連結機構７Ｂは、什器幅方向の外側に突出してアリ溝形成部１５内に嵌合可能なホゾである嵌合突部２１を有している。嵌合突部２１は、アリ溝形成部１５の溝幅方向の両側の内側面１６に係合可能な外側面２２を有している。嵌合突部２１は、アリ溝形成部１５の溝延在方向に沿うように、上下方向に対して上側ほど前側に位置するように傾斜して延びている。嵌合突部２１は、溝延在方向と交差する断面において、什器幅方向の内側ほど溝幅方向の幅を漸次小とする形状をなしており、該断面形状が例えばＴ字形等の急峻に変化する形状である構成に比して、嵌合突部２１の突出先端部や基端部に折れ曲がり方向のモーメントが作用した場合における応力集中を抑え、連結強度を高めている。
【００４１】
嵌合突部２１におけるアリ溝形成部１５の溝延在方向の両側部には、溝延在方向の両端側ほど両外側面２２を互いに近接させるように先細りに傾斜した突側テーパ部２３が形成されている。突側テーパ部２３と溝側テーパ部１７とにより、アリ溝形成部１５の内側面１６と嵌合突部２１の外側面２２とは、溝延在方向の両端側ほど互いに大きく離間している。これら突側テーパ部２３および溝側テーパ部１７の協働により、これらの一方のみが設けられる場合と比べて、嵌合突部２１をアリ溝形成部１５内に溝延在方向の端部からより一層差し込み易くなっている。
【００４２】
嵌合突部２１における溝延在方向で突側テーパ部２３よりも内側の部位には、嵌合突部２１の両外側面２２を最も離間させて断面一定で延びる突側嵌合部２４が形成されている。図１６を併せて参照し、突側嵌合部２４は、什器幅方向外側の先端部において嵌合突部２１の最大幅ｈ２を形成する突側拡幅部２５として構成されている。
【００４３】
突側嵌合部２４（突側拡幅部２５）と溝側嵌合部１８（溝側狭幅部１９）とにより、アリ溝形成部１５の内側面１６および嵌合突部２１の外側面２２が、互いに当接または近接状態で係合される。アリ溝形成部１５および嵌合突部２１の両者にそれぞれ嵌合部を設けることで、限られた大きさの横連結機構７でアリ溝形成部１５および嵌合突部２１のより確実かつ強固な嵌合が可能となる。
【００４４】
図１８を参照し、アリ溝形成部１５の開放部における最小溝幅ｈ１は、嵌合突部２１の先端部における溝延在方向の端部での溝幅方向の端部幅ｈ３よりも大きく設定されている。このため、アリ溝形成部１５および嵌合突部２１を溝延出方向で互いにずらした状態で、二つの椅子１を什器幅方向に並べた際、アリ溝形成部１５および嵌合突部２１を溝延出方向で極力ラップさせて、アリ溝形成部１５の底面１６ａと嵌合突部２１の先端面２２ａとを互いに突き当てることが可能となる。このときの底面１６ａおよび先端面２２ａの突き当て領域を図中符号Ｒで示す。そして、互いに突き当たった底面１６ａおよび先端面２２ａに沿って、アリ溝形成部１５および嵌合突部２１を溝延出方向で相対移動させることで、これらの係合作業を安定して行うことができる。
【００４５】
以上説明したように、上記実施形態における什器の連結構造では、椅子１の什器幅方向の一側に設けられ、什器幅方向に交差して延在するとともに什器幅方向の外側に向けて開放するアリ溝形成部１５を有する雌側連結機構７Ａと、椅子１の什器幅方向の他側に設けられ、什器幅方向の外側に突出して前記アリ溝形成部１５内に嵌合し、前記アリ溝形成部１５の溝幅方向の両側に係合する嵌合突部２１を有する雄側連結機構７Ｂと、を備え、前記アリ溝形成部１５および前記嵌合突部２１には、前記アリ溝形成部１５内に前記嵌合突部２１が嵌合した状態で、前記アリ溝形成部１５の溝延在方向で両端側ほど前記アリ溝形成部１５の内側面１６および前記嵌合突部２１の外側面２２を互いに離間させるテーパ部１７，２３がそれぞれ形成されている。
【００４６】
この構成によれば、前記テーパ部１７，２３によって、アリ溝形成部１５の溝延在方向の両端側から嵌合突部２１を容易に嵌合させることができ、かつ嵌合後には什器幅方向の荷重に耐え得る連結状態とすることができる。また、嵌合突部２１は、什器幅方向の外側に突出してアリ溝形成部１５の溝幅方向の両側に係合するので、鉤形状等をなす場合と比べて什器幅方向の荷重によるモーメントの発生が抑えられ、連結部位の破損を抑止することができる。
【００４７】
上記実施形態における什器の連結構造では、前記アリ溝形成部１５は、溝延在方向を上下方向に対して傾斜させている。
この構成によれば、アリ溝形成部１５の溝延在方向の端部を椅子１の前側または後側から視認し易くなり、連結作業性を向上させることができる。特に、アリ溝形成部１５の溝延在方向の一端側を前上方に向ければ、作業者が椅子１に前方から向かい合って椅子１を連結するといった通常の連結作業を容易にすることができる。
【００４８】
上記実施形態における什器の連結構造では、前記アリ溝形成部１５および前記嵌合突部２１は、前記テーパ部１７，２３よりも溝延在方向の内側で前記アリ溝形成部１５の内側面１６および前記嵌合突部２１の外側面２２を互いに当接または近接状態で係合させる嵌合部１８，２４をそれぞれ有している。
この構成によれば、アリ溝形成部１５の一端側から嵌合突部２１を進入させ、これらを溝延在方向に相対移動させることで、嵌合部１８，２４によりアリ溝形成部１５および嵌合突部２１をガタなく強固に連結することができる。
【００４９】
上記実施形態における什器の連結構造では、前記嵌合部１８，２４は、前記アリ溝形成部１５に形成される溝側狭幅部１９と、前記嵌合突部２１に形成される突側拡幅部２５と、をそれぞれ有している。
この構成によれば、アリ溝形成部１５および嵌合突部２１の協働により、強固に嵌合する嵌合部１８，２４を形成することができる。
【００５０】
上記実施形態における什器の連結構造では、前記テーパ部１７，２３は、前記アリ溝形成部１５に形成される溝側テーパ部１７と、前記嵌合突部２１に形成される突側テーパ部２３と、をそれぞれ有している。
この構成によれば、アリ溝形成部１５の溝延在方向の両端側から嵌合突部２１をより一層容易に嵌合させることができる。
【００５１】
上記実施形態における什器の連結構造では、前記アリ溝形成部１５の什器幅方向外側の開放部における最小溝幅ｈ１は、前記嵌合突部２１の溝延在方向の端部における溝幅方向の端部幅ｈ３よりも大きくされている。
この構成によれば、アリ溝形成部１５および嵌合突部２１を溝延出方向で相互にずらした状態で椅子１を什器幅方向に並べる際、アリ溝形成部１５および嵌合突部２１を溝延出方向で極力ラップさせて突き当てるとともに、この状態からアリ溝形成部１５および嵌合突部２１を溝延在方向で相対移動させることで、椅子１の連結作業を容易に行うことができる。
【００５２】
なお、本発明は上記実施形態に限られるものではなく、例えば、アリ溝形成部および嵌合突部の一方のみにテーパ部が設けられる構成でもよい。アリ溝形成部および嵌合突部の一方のみに嵌合部が設けられる構成でもよい。平面状の離間面を形成するテーパ部に代わり、湾曲状の離間面を形成する離間形状部が設けられる構成でもよい。アリ溝形成部および嵌合突部の溝延在方向の一端側のみに離間形状部が形成される構成でもよい。椅子以外の什器にも適用可能であることはもちろん、本発明の要旨を逸脱しない範囲で種々の変更が可能である。
【符号の説明】
【００５３】
１  椅子（什器）
１Ａ  組み合わせ什器
７  横連結機構
７Ａ  雌側連結機構
７Ｂ  雄側連結機構
１５  アリ溝形成部
１６  内側面（内面）
１７  溝側テーパ部（離間形状部）
１８  溝側嵌合部（嵌合部）
１９  溝側狭幅部
２１  嵌合突部
２２  外側面（外面）
２３  突側テーパ部（離間形状部）
２４  突側嵌合部（嵌合部）
２５  突側拡幅部
ｈ１  最小溝幅
ｈ３  端部幅
【図１】
2017169637.tif 000003
【図２】
2017169637.tif 000004
【図３】
2017169637.tif 000005
【図４】
2017169637.tif 000006
【図５】
2017169637.tif 000007
【図６】
2017169637.tif 000008
【図７】
2017169637.tif 000009
【図８】
2017169637.tif 000010
【図９】
2017169637.tif 000011
【図１０】
2017169637.tif 000012
【図１１】
2017169637.tif 000013
【図１２】
2017169637.tif 000014
【図１３】
2017169637.tif 000015
【図１４】
2017169637.tif 000016
【図１５】
2017169637.tif 000017
【図１６】
2017169637.tif 000018
【図１７】
2017169637.tif 000019
【図１８】
2017169637.tif 000020